(57)【特許請求の範囲】
【請求項１】
便器本体に固定される便器洗浄水タンクであって、
外装タンクと、
前記外装タンク内に装着され前記便器本体を洗浄するための洗浄水を溜める内装タンクと、
前記内装タンクへ洗浄水を供給すると共に手洗いのための洗浄水を吐水する手洗い吐水管と、
前記外装タンクの上方に着脱自在に載置され、その上面に手洗い鉢が形成されると共に前記手洗い吐水管からの洗浄水を前記内装タンクへ給水する第１の吐水口が形成された外蓋と、
前記内装タンクの上方に着脱自在に載置され、前記第１の吐水口からの洗浄水を前記内装タンクへ給水する第２の吐水口が形成された内蓋と、を有し、
前記第１の吐水口は前記外蓋の裏面より下方に突出するように形成され、
前記第２の吐水口は前記内蓋の上面より上方に突出するように形成され、
前記第２の吐水口の内径は前記第１の吐水口の外径より大きく、且つ前記第２の吐水口の上端は、前記第１の吐水口の下端より上側に位置していることを特徴とする便器洗浄水タンク。
【請求項２】
便器本体に固定される便器洗浄水タンクであって、
外装タンクと、
前記外装タンク内に装着され前記便器本体を洗浄するための洗浄水を溜める内装タンクと、
前記内装タンクへ洗浄水を供給すると共に手洗いのための洗浄水を吐水する手洗い吐水管と、
前記外装タンクの上方に着脱自在に載置され、その上面に手洗い鉢が形成されると共に前記手洗い吐水管からの洗浄水を前記内装タンクへ給水する第１の吐水口が形成された外蓋と、
前記内装タンクの上方に着脱自在に載置され、前記第１の吐水口からの洗浄水を前記内装タンクへ給水する第２の吐水口が形成された内蓋と、を有し、
前記第２の吐水口は前記内蓋の上面より上方に突出するように形成され、
前記第２の吐水口の内径は前記第１の吐水口の内径より大きく形成され、
前記内蓋には前記第２の吐水口の上端位置を上下方向に移動させる弾性部が形成され、
前記弾性部の弾性により前記内蓋の第２の吐水口が前記外蓋の裏面に当接することを特徴とする便器洗浄水タンク。
【請求項３】
前記弾性部は、前記内蓋において前記第２の吐水口の周囲に形成された２つの切欠き溝と、その切欠き溝が前記第２の吐水口の中央軸を挟んで対称的に配置されることによって形成された支持弾性片部から構成されていることを特徴とする請求項２に記載の便器洗浄水タンク。
【請求項４】
前記弾性部は、前記第２の吐水口に設けられた蛇腹部であることを特徴とする請求項２に記載の便器洗浄水タンク。
【請求項５】
前記内蓋の周囲において、上方に突出した立上がり壁が形成されていることを特徴とする請求項１乃至３のいずれかに記載の便器洗浄水タンク。
【請求項６】
前記支持弾性片部は、前記第２の吐水口を基準として遠い側から近い側へ向けて、上方へと傾斜していることを特徴とする請求項３に記載の便器洗浄水タンク。
【発明の詳細な説明】
【技術分野】
【０００１】
本発明は、水洗大便器と共に使用される便器洗浄水タンクに関する発明である。
【背景技術】
【０００２】
従来、便器洗浄水タンクは、外装タンクとその内側に配置された内装タンクの２つのタンクによって２重構造となっており、使用者が排泄後に手洗いを行えるように、外装タンク上部に手洗い吐水管及び手洗い鉢を設けている。
【０００３】
図８に示すような従来の便器洗浄水タンクにおいては、手洗い吐水管７から吐水された洗浄水を、手洗い鉢６ａの吐水口６ｂを介して内装タンク４内へと導く際に発生する「洗浄水の飛び跳ね」を防止するため、手洗い鉢６ａが形成された外蓋６の裏面側にリブ１１が形成されている。「洗浄水の飛び跳ね」の発生現象は、手洗い鉢６ａの吐水口６ｂから洗浄水が勢い良く吐水されることによって、手洗い鉢６ａの吐水口６ｂ下端から洗浄水が直接周囲に飛び散ったりして、内装タンク４と外装タンク５との間に流入し、タンク下端から流出して機外漏水につながるという現象であり、手洗い鉢６ａが形成された外蓋６の裏面側に形成されたリブ１１が「洗浄水の飛び跳ね」を防止している。（特許文献１参照）
【０００４】
しかし、前記のような構成の便器洗浄水タンクにあっては、リブ１１を含む外蓋６は陶器製のものが一般的であり、形状及び寸法にバラツキが発生しやすい。したがって、リブ１１の形状及び寸法によっては、「洗浄水の飛び跳ね」を防止する効果を十分に発揮できないという問題もあった。また、外蓋６に、このようなリブ１１を設けること自体、製造上困難であり製造コストを増加させるといった問題があった。
【先行技術文献】
【特許文献】
【０００５】
【特許文献１】特開２０１０−２３６２７６号公報
【発明の概要】
【発明が解決しようとする課題】
【０００６】
本発明は、前記のような従来の問題に鑑みなされたものであって、外装タンク又は外蓋の形状・寸法にバラツキが生じようとも、「洗浄水の飛び跳ね」を防止し、手洗い吐水管から吐水された洗浄水を確実に内装タンク内へと導く便器洗浄水タンクを提供することを目的とするものである。
【課題を解決するための手段】
【０００７】
前記のような課題を解決するために、本発明は、以下のような手段を採用している。すなわち、本発明の第１の便器洗浄水タンクは、便器本体に固定された便器洗浄水タンクであって、外装タンクと、前記外装タンク内に装着され前記便器本体を洗浄するための洗浄水を溜める内装タンクと、前記内装タンクへ洗浄水を供給すると共に手洗いのための洗浄水を吐水する手洗い吐水管と、前記外装タンクの上方に着脱自在に載置され、その上面に手洗い鉢が形成されると共に前記手洗い吐水管からの洗浄水を前記内装タンクへ給水する第１の吐水口が形成された外蓋と、前記内装タンクの上方に着脱自在に載置され、前記第１の吐水口からの洗浄水を前記内装タンクへ給水する第２の吐水口が形成された内蓋と、を有し、前記第１の吐水口は前記外蓋の裏面より下方に突出するように形成され、前記第２の吐水口は前記内蓋の上面より上方に突出するように形成され、前記第２の吐水口の内径は前記第１の吐水口の外径より大きく、且つ前記第２の吐水口の上端は、前記第１の吐水口の下端より上側に位置していることを特徴とする。
【０００８】
このような構成とすることにより、手洗い吐水管から吐水された洗浄水が外蓋の第１の吐水口を介して内装タンク内へと流下する際に、第１の吐水口下端から直接周囲に飛び散る「洗浄水の飛び跳ね」が発生したとしても、第２の吐水口の上端が第１の吐水口の下端より上側に位置しているため、飛散した洗浄水が第２の吐水口の内壁に衝突し、内装タンク内へと滴下させることができる。
【０００９】
また、本発明の第２の便器洗浄水タンクは、便器本体に固定される便器洗浄水タンクであって、外装タンクと、前記外装タンク内に装着され前記便器本体を洗浄するための洗浄水を溜める内装タンクと、前記内装タンクへ洗浄水を供給すると共に手洗いのための洗浄水を吐水する手洗い吐水管と、前記外装タンクの上方に着脱自在に載置され、その上面に手洗い鉢が形成されると共に前記手洗い吐水管からの洗浄水を前記内装タンクへ給水する第１の吐水口が形成された外蓋と、前記内装タンクの上方に着脱自在に載置され、前記第１の吐水口からの洗浄水を前記内装タンクへ給水する第２の吐水口が形成された内蓋と、を有し、前記第２の吐水口は前記内蓋の上面より上方に突出するように形成され、前記第２の吐水口の内径は前記第１の吐水口の内径より大きく形成され、前記内蓋には前記第２の吐水口の上端位置を上下方向に移動させる弾性部が形成され、前記弾性部の弾性により前記内蓋の第２の吐水口が前記外蓋の裏面に当接することを特徴とする。
【００１０】
このような構成とすることにより、「洗浄水の飛び跳ね」が発生したとしても、飛散した洗浄水が第２の吐水口の外に流出する隙間がないため、内装タンク内に確実に流下させることができる。
【００１１】
また、内蓋には、第２の吐水口の上端位置を上下方向に移動させる弾性部が形成されているため、外装タンク又は外蓋の形状・寸法にバラツキが生じたとしても、弾性部によってそのバラツキを吸収でき、前記第２の吐水口を確実に外蓋の裏面に当接させることができる。
【００１２】
本発明の第２の便器洗浄水タンクにおいては、「洗浄水の飛び跳ね」の他に、外蓋の裏面側への「洗浄水の駆け上がり」による機外漏水も防止する。「洗浄水の駆け上がり」現象は、手洗い吐水が終わる直前に、手洗い吐水管から吐水された勢いの弱い洗浄水が、手洗い鉢の吐水口に直接流入せず吐水口付近の手洗い鉢上面に衝突し、その後、吐水口内へ流入する。流入した洗浄水は吐水口の内壁を伝わり、吐水口の下端付近でそこで発生する表面張力により一時的に滞留する。その滞留している洗浄水に後から吐水口に流入してきた洗浄水が衝突することにより、洗浄水は手洗い鉢が形成された外蓋の裏面側を伝って駆け上がり、内装タンクと外装タンクとの間に洗浄水が流入し機外漏水につながるという現象である。
この「洗浄水の駆け上がり」についても、第２の吐水口が外蓋の裏面に当接しているため、外蓋の裏面を伝った洗浄水が第２の吐水口の外に流出することがなく、機外漏水を確実に防止することができる。
【００１３】
また、本発明の第２の便器洗浄水タンクにおいて、前記弾性部は、前記内蓋において前記第２の吐水口の周囲に形成された２つの切欠き溝と、その切欠き溝が前記第２の吐水口の中央軸を挟んで対称的に配置されることによって形成された支持弾性片部から構成されていることが望ましい。
【００１４】
このような構成とすることにより、前記弾性部を他の部材を使って形成する必要がなくなり、生産コストを抑えることができる。また、支持弾性片部を形成する際の切欠き溝により、洗浄水が第２の吐水口の外に流出したとしても、この切欠き溝から内装タンク内へと導くことができる。
【００１５】
また、本発明の第２の便器洗浄水タンクにおいて、前記弾性部は、前記第２の吐水口に設けられた蛇腹部であってもよい。
このような構成とすることにより、前記弾性部を簡易な構造で形成することができる。
【００１６】
またさらに本発明の第１、第２の便器洗浄水タンクにおいて、内蓋の周囲には、上方に突出した立上がり壁が形成されていることが望ましい。このような構成とすることにより、第１の吐水口下端で「洗浄水の飛び跳ね」が発生し、第２の吐水口でその飛散を抑えきれなかったとしても、前記立上がり壁で確実に抑えることができ、機外漏水を防止することができる。また、「洗浄水の駆け上がり」などにより、洗浄水が外蓋の裏面から内蓋の上面へと滴下したとしても、立上がり壁の外へ流出することがなく、機外漏水を防止することができる。
【００１７】
またさらに本発明の第２の便器洗浄水タンクにおいて、前記支持弾性片部は、前記第２の吐水口を基準として遠い側から近い側へ向けて、上方へと傾斜していることが望ましい。
【００１８】
このような構成とすることにより、前記支持弾性片部の長さを長くすることができ、前記第２の吐水口の上下方向の変位を大きくすることができる。よって、外蓋又は外装タンクの形状・寸法に大きなバラツキがあった場合でも、それを第２の吐水口が変位することで吸収でき、前記第２の吐水口を前記外蓋の裏面に確実に当接させることができる。よって、「洗浄水の飛び跳ね」または「洗浄水の駆け上がり」による機外漏水を確実に防止することができる。
【発明の効果】
【００１９】
本発明によれば、手洗い吐水管から吐水された洗浄水が外蓋の第１の吐水口を介して内装タンクへと流下する際に、第１の吐水口下端から直接周囲に飛び散る「洗浄水の飛び跳ね」を防止する。よって、内装タンクと外装タンクとの間に洗浄水が流入することを防止し、機外漏水を防止することができる。
【図面の簡単な説明】
【００２０】
【図１】本発明の実施の形態である便器洗浄水タンク付き便器の斜視図である。
【図２】図１のタンク上部の部分拡大縦断面図である。
【図３】図１のタンク上部の部分拡大横断面図である。
【図４】内装タンクの内蓋の平面図である。
【図５】図４のＡ−Ａ断面図である。
【図６】図４のＢ−Ｂ断面図である。
【図７】内蓋の第２の吐水口の変形例である。
【図８】従来の便器洗浄水タンクの部分断面図である。
【発明を実施するための形態】
【００２１】
以下、図面を参照しつつ、本発明の実施の形態について説明する。
図１は本発明の実施の形態である便器洗浄水タンク付き便器の斜視図であり、図２は図１のタンク上部の部分拡大縦断面図であり、図３は図１のタンク上部の部分拡大横断面図である。
【００２２】
図１、図２で示すように、本実施形態の便器洗浄水タンク１は便器本体２の後側上面に図示しない固定手段によって取り付けられている。便器洗浄水タンク１は、外装タンク１５とその内側に載置されている内装タンク１７の２つのタンクによって、２重構造になっており、内装タンク１７に貯水された洗浄水の温度を外装タンク１５に直接伝わらないようにして、外装タンク１５の結露を防止する構成になっている。前記外装タンク１５の上方には外蓋１６が着脱自在に載置されている。外蓋１６には、手洗いのための洗浄水を吐水する手洗い吐水管１４が固定されており、外蓋１６の上面はその洗浄水を受けるための手洗い鉢１６ａになっている。手洗い鉢１６ａには、手洗い鉢１６ａで受けた洗浄水を内装タンク１７内に流下させるための第１の吐水口１６ｂが形成されている。
【００２３】
また、内装タンク１７の上方には、内蓋１８が着脱自在に載置されている。その内蓋１８には、第１の吐水口１６ｂと対向する位置に第２の吐水口１８ａが形成されている。ここで、第１の吐水口１６ｂは外蓋１６の裏面から下方に突出するように略円筒形状に形成されており、第２の吐水口１８ａは内蓋１８の上面から上方に突出するように略円筒形状に形成されている。なお、本実施形態では、第１の吐水口１６ｂ及び第２の吐水口１８ａを略円筒形状としたが、本発明は、これに限られるものではなく、その開口断面形状が矩形のものやその他の形状のものであってもよい。また、第２の吐水口１８ａの内径は、第１の吐水口１６ｂの外径より大きな径で形成され、前記第２の吐水口１８ａの内側に前記第１の吐水口１６ｂを配置し、第２の吐水口１８ａの上端は外蓋１６の裏面に当接するように配置されている。
【００２４】
次に、図３に基づき、更に詳細に説明する。
内蓋１８の第２の吐水口１８ａは、弾性を有した支持弾性片部２１で支持されている。支持弾性片部２１は、第２の吐水口１８ａを基準として遠い側から近い側へ向けて、上方へと傾斜するように形成されている。この支持弾性片部２１の傾斜と、第２の吐水口１８ａを上方に突出させた形状にしたことにより、第２の吐水口１８ａの上端部の位置をより上方の位置にすることができる。よって、外蓋１６を外装タンク１５上に載置する際には、まず第２の吐水口１８ａ上端が外蓋１６の裏面に当接することになる。その後、外蓋１６が外装タンク１５上に載置されるまでは、第２の吐水口１８ａ上端が外蓋１６の裏面より下方向に押圧され続け、載置された時点では載置される前よりも第２の吐水口１８ａの位置が低い位置へと変位している。これは、前記第２の吐水口１８ａを支持する支持弾性片部２１が弾性変形することにより可能にしている。この時、支持弾性片部２１が、第２の吐水口１８ａを基準として遠い側から近い側へ向けて、上方に傾斜するように形成されることで、傾斜しない場合に比べ、支持弾性片部２１の長さを長くすることができ、第２の吐水口１８ａにおける上下方向の許容可能な変位量（ストローク）を大きくすることができる。よって、外蓋１６又は外装タンク１５の形状・寸法に大きなバラツキが生じた場合も、そのバラツキを吸収することができる。
【００２５】
なお、外蓋１６を外装タンク１５上に載置した時点では、第２の吐水口１８ａの上端が外蓋１６の裏面に対して上方向に押圧している状態になるが、外蓋１６は通常陶器等の比較的重い材料でできているため、外蓋１６を載置した後で勝手にずれることがない。
【００２６】
次に、図４乃至図６に基づき、内装タンク１７に載置される内蓋１８の詳細について説明する。なお、図４は、内蓋１８の平面図であり、図５は図４のＡ−Ａ断面図、図６は図４のＢ−Ｂ断面図である。
【００２７】
内蓋１８の略中央には、上方に突出するように略円筒形状の第２の吐水口１８ａが形成されている。また、内蓋１８の周囲には、立上がり壁１９が形成されている。したがって、立上がり壁１９と第２の吐水口１８ａとの間の空間は、浅い桶状になっており、一段低く形成されている。また、第２の吐水口１８ａの周囲には２つの細長い切欠き溝２０が形成されており、その２つの切欠き溝２０が第２の吐水口１８ａの中心軸に対して対称になるように内蓋１８の長手方向にまで延びている。ここで、長手方向に延びる２つの切欠き溝２０に挟まれた部分が支持弾性片部２１であり、第２の吐水口１８ａを支持する部分となっている。
【００２８】
前記外蓋１６を外装タンク１５上に載置する際は、前記第２の吐水口１８ａが外蓋１６に下方向に押圧され、所定距離だけ沈み込むことになるが（図２のＣで示した状態からＤで示した状態になる）、この支持弾性片部２１が弾性変形することで、それを可能にしている。なお、載置が完了した時点からは、前記支持弾性片部２１は弾性変形した状態を維持することになるため、前記第２の吐水口１８ａには上方向の反発力が働き、前記第２の吐水口１８ａ上端が前記外蓋１６の裏面に当接した状態を維持する。
【００２９】
また、前記支持弾性片部２１を切欠き溝２０によって形成しているため、立上がり壁１９と第２の吐水口１８ａとの間の空間に流れ込んだ洗浄水を内装タンク１７内へ導く役割も果たす。したがって、仮に前記第１の吐水口１６ｂから流下してきた洗浄水が、「洗浄水の飛び跳ね」や「洗浄水の駆け上がり」により第２の吐水口の外に流出したとしても、この立上がり壁１９と切欠き溝２０によって、それ以上の流出を抑え、内装タンク１７内へと確実に導くことができる。
【００３０】
次に、上述した構成に基づく動作について説明する。
使用者がロータンク側面にある洗浄レバー１３を操作すると、排水弁装置２２の排水弁（図示せず）が開くと共に内装タンク１７内に貯水された洗浄水が便器本体２へ流れ出し、汚物を排水配管（図示せず）に排出する。内装タンク１７内の洗浄水が減少すると、貯水された洗浄水量を元に戻すために、給水部（図示せず）から洗浄水が供給される。この時、給水部からの洗浄水は内装タンク１７内へ供給されると共に、手洗いに供するための手洗い吐水管１４に供給される。手洗い吐水管１４から吐水された洗浄水は、外蓋１６に形成された手洗い鉢１６ａで一旦受け、第１の吐水口１６ｂを通過し、内蓋１８を経て内装タンク１７に貯水される。そして、所定の貯水が完了すると給水部からの給水を停止し、次回の使用者が洗浄水を供給する操作を待つことになる。
【００３１】
手洗い吐水管１４から吐水された洗浄水は、外蓋１６の取付状態や所定の水圧条件等によって、第１の吐水口１６ｂの中央部をそのまま通過しない限りは、必ず手洗い鉢１６ａで一旦受けることになる。手洗い鉢１６ａで一旦受けた洗浄水は、第１の吐水口１６ｂの内壁面を伝わり、第１の吐水口１６ｂ下端まで到達する。
【００３２】
本実施形態では、内蓋１８の第２の吐水口１８ａの内径は外蓋１６の第１の吐水口１６ｂの外径より大きく、且つ第２の吐水口１８ａの上端は、第１の吐水口１６ｂの下端より上側に位置するように構成されている。これにより、洗浄水が第１の吐水口１６ｂ下端より周囲に飛び散ったとしても、第１の吐水口１６ｂの周囲には第２の吐水口１８ａが配置されているため、飛散した洗浄水は第２の吐水口１８ａの内壁に衝突し、内装タンク１７内へと滴下させることができる。
【００３３】
また本実施形態では、第２の吐水口１８ａの上端を外蓋１６の裏面に当接させている。これにより、洗浄水供給終了直前で勢いが弱くなった洗浄水が、第１の吐水口１６ｂ下端から、その表面張力でもって外蓋１６の裏面を伝って駆け上がったとしても、その洗浄水を第２の吐水口１８ａの外へは流出させないようにしている。
【００３４】
特に本実施形態では、第２の吐水口１８ａの周囲に弾性部を設け、第２の吐水口１８ａが確実に外蓋１６の裏面に当接するように構成されている。これにより、外蓋１６にバラツキが生じたとしても、そのバラツキに関係なく第２の吐水口１８ａを確実に外蓋１６の裏面に当接させることができる。
【００３５】
また、前記弾性部は、内蓋１８において第２の吐水口１８ａの周囲に２つの切欠き溝２０を形成し、切欠き溝２０によって形成された支持弾性片部２１を弾性変形できるようにして構成されている。これにより、簡易な構造で弾性部を形成でき、仮に第２の吐水口１８ａ外に洗浄水が飛散したとしても、飛散した洗浄水を切欠き溝２０から内装タンク１７へと導くことができる。
【００３６】
また、前記支持弾性片部２１は、第２の吐水口１８ａを基準として遠い側から近い側へ向けて、上方に傾斜するように構成されている。これにより、支持弾性片部２１の長さを長くすることができ、支持弾性片部２１の弾性変形量を大きくすることができる。よって、この支持弾性片部２１によって支持された第２の吐水口１８ａの上下方向の変位量も大きくすることができ、外装タンク１５又は外蓋１６のバラツキが大きな場合もそのバラツキを吸収できるようになっている。
【００３７】
また、内蓋１８の周囲には、前記第２の吐水口１８ａを取り囲むように立上がり壁１９が形成されている。そして、外蓋１６を外装タンク１５上に載置した時点においては、この立ち上がり壁１９の上端は第１の吐水口１６ｂの下端より上側に位置している。これにより、仮に洗浄水が第２の吐水口１８ａの外に飛散したとしても、立上がり壁１９でそれを遮断でき、確実に洗浄水の飛散を防止できる。また、立上がり壁１９を形成することで、立上がり壁１９と第２の吐水口１８ａとの間の空間を、浅い桶状にすることができ、そこに溜まった洗浄水は、切欠き溝２０を介して内装タンク１７内へと流下させることができる。よって、飛散した洗浄水を立上がり壁１９と第２の吐水口１８ａとの間の空間で一旦貯め、そこから確実に内装タンク１７内へと導くことができる。
【００３８】
なお、本実施形態における外装タンク１５及び外蓋１６は、外観品位、強度、表面硬度の観点から陶器でできており、内装タンク１７及び内蓋１８は樹脂でできているが、外装タンク１５及び外蓋１６に生じる形状・寸法のバラツキは、樹脂製の支持弾性片部２１で局所的に吸収するようにしているので、内蓋１８全体が歪んで、勝手に内装タンク１７から外れるようなことがない。
また、本実施形態では、内装タンクの第２の吐水口１８ａの上端部が外蓋１６の裏面に必ず当接するような形態のみを説明したが、本発明はこれに限られるものではなく、外装タンク１５又は外蓋１６の形状によっては、当接しない形態も含む。
【００３９】
なお、本実施形態の内蓋１８と第２の吐水口１８ａは一体成形されたものを示したが、図７に示すように第２の吐水口１８ａを内蓋１８とは別体で成形したものであってもよい。このような場合は、第２の吐水口１８ａを面テープ２４等で内蓋１８に接着させることができる。
さらに、本実施形態において、弾性部は切欠き溝２０によって形成された支持弾性片部２１で構成したが、これに限らず、図７に示すように第２の吐水口１８ａに設けられた蛇腹部２３であってもよい。このような構成とすることで、簡易な構造で弾性部を形成することができる。
【符号の説明】
【００４０】
１      便器洗浄水タンク
２      便器本体
４      内装タンク
５      外装タンク
６      外蓋
６ａ    手洗い鉢
６ｂ    吐水口
７      手洗い吐水管
１１    リブ
１３    洗浄レバー
１４    手洗い吐水管
１５    外装タンク
１６    外蓋
１６ａ  手洗い鉢
１６ｂ  第１の吐水口
１７    内装タンク
１８    内蓋
１８ａ  第２の吐水口
１９    立上がり壁
２０    切欠き溝
２１    支持弾性片部
２２    排水弁装置
２３    蛇腹部
２４    面テープ
【図１】
0005811508.tif 000002
【図２】
0005811508.tif 000003
【図３】
0005811508.tif 000004
【図４】
0005811508.tif 000005
【図５】
0005811508.tif 000006
【図６】
0005811508.tif 000007
【図７】
0005811508.tif 000008
【図８】
0005811508.tif 000009